(57)【要約】【課題】所定のフォーマット映像信号で映像を表示可能な装置であって、且つ、当該所定フォーマット映像信号以外の信号が入力される可能性のある外部入力部を有する映像表示装置において、入力された映像信号が対応していないフォーマット形式である場合にはその旨をユーザに通知することができる映像表示装置を低コストにて提供すること。【解決手段】外部入力部１３から入力された映像信号から、映像信号処理部１６によって同期信号を抽出し、当該同期信号から、映像信号が対応していないフォーマット形式であるか否かをマイコン１７によって判別し、判別結果に応じて、対応していない信号である旨を表示部１５に表示させる。これにより回路構成の変更を要せずに、マイコンのソフトウェアの対応のみで上記機能を実現可能とする。【選択図】図１
2007221309.tif 000002
【特許請求の範囲】
【請求項１】
表示部と、各周波数の放送信号を受信するチューナ部と、前記チューナ部から入力される放送信号を所定のフォーマットに準拠した映像信号に変換する受信信号変換部と、外部装置からの信号を入力する外部入力部と、前記所定フォーマットに準拠した映像信号を前記表示部に表示させる処理を行う映像信号処理部であって前記受信信号変換部若しくは前記外部入力部から入力される映像信号が前記所定フォーマットに準拠した信号である場合に前記映像信号に含まれる同期信号を抽出することができる映像信号処理部と、制御部と、を備える映像表示装置であって、警告情報が格納された記憶部と、ＯＳＤ生成部と、を備えることにより、前記映像信号処理部によって抽出された前記同期信号が、前記所定フォーマットに準拠した同期信号では無いと前記制御部によって判断された場合には、前記警告情報に基づく警告を、前記ＯＳＤ生成部と前記映像信号処理部によって、前記表示部に表示させることを特徴とする映像表示装置。
【請求項２】
前記外部入力部が、Ｄ映像端子若しくはコンポーネント映像端子であることを特徴とする請求項１記載の映像表示装置。
【請求項３】
前記所定フォーマットが、４８０ｉの映像フォーマットであり、前記映像信号処理部は、４８０ｉの映像フォーマットに準拠した映像信号を前記表示部に表示させる回路構成とされていることを特徴とする請求項１又は請求項２に記載の映像表示装置。
【請求項４】
前記警告情報が、「外部入力部に対する映像信号の入力が無い、或いは、外部入力部に本機で表示することができない映像信号が入力されています」という旨の警告と、「外部入力部に本機で表示することができない映像信号が入力されています」という旨の警告と、を有しており、前記映像信号処理部によって抽出される前記同期信号が無いと前記制御部によって判断された場合には、前者の警告情報に基づく警告を表示させ、前記映像信号処理部によって抽出される前記同期信号があるが、前記所定フォーマットに準拠した同期信号では無いと前記制御部によって判断された場合には、後者の警告情報に基づく警告を表示させることを特徴とする請求項１乃至請求項３の何れか１つに記載の映像表示装置。
【請求項５】
ユーザインターフェースたる操作部を備え、当該操作部に警告消去キーを備えさせることにより、前記警告表示中に前記警告消去キーの入力があった場合には、前記警告の表示をしないことを特徴とする請求項１乃至請求項４の何れか１つに記載の映像表示装置。
【請求項６】
ユーザインターフェースたる操作部を備え、前記映像信号処理部によって抽出された前記同期信号が前記所定フォーマットに準拠するものであるか否かを判別するための基準パラメータを前記記憶部に格納しておき、前記操作部に対するユーザからの設定変更指示があった際には、当該指示に応じて前記基準パラメータを変更して前記記憶部に格納することを特徴とする請求項１乃至請求項５の何れか１つに記載の映像表示装置。
【発明の詳細な説明】
【技術分野】
【０００１】
本発明は、映像表示装置に関し、特に、所定のフォーマットに準拠した映像信号を映像として表示可能な装置であって、且つ、当該所定のフォーマットに準拠した映像信号以外の信号が入力される可能性のある外部入力部を有する映像表示装置に関する。
【背景技術】
【０００２】
テレビジョン放送等に使用される映像フォーマットには、複数の映像フォーマット（ＨＤＴＶ：Ｈｉｇｈ−Ｄｅｆｉｎｉｔｉｏｎ  ＴｅｌｅｖｉｓｉｏｎとＳＤＴＶ：Ｓｔａｎｄａｒｄ−Ｄｅｆｉｎｉｔｉｏｎ  Ｔｅｌｅｖｉｓｉｏｎの別や、インターレース方式とプログレッシブ方式の別など）が存在しており、これを表示させる映像表示装置においても、特定の映像フォーマットの形式でのみ映像を表示可能な装置や、全ての映像フォーマットの形式に対応した装置などが存在する。
【０００３】
全ての映像フォーマット形式に対応した映像表示装置のような場合、チューナによって受信されたテレビジョン放送や外部入出力端子から入力される（例えばＤＶＤプレーヤなどの外部装置から入力される）映像信号を映像として表示させる為には、入力された映像信号のフォーマット形式を判別する必要がある（また、可能な限り入力されたフォーマットのまま（ダウンコンバートやアップコンバートせずに）映像を表示させるためにも必要である）。当該映像フォーマット形式の判別に関する従来技術が特許文献１〜特許文献４などによって開示されている。また、特定の映像フォーマットの形式でのみ映像を表示可能な装置において、外部入出力端子から入力される映像信号が対応していないフォーマット形式であるか否かを判別し、対応していないフォーマット形式である場合にはその旨を通知する装置に関する従来技術が特許文献５などによって開示されている。
【０００４】
【特許文献１】特開２００１−１１１９１４号公報
【特許文献２】特開２００２−７７７６６号公報
【特許文献３】特開２００２−８４４７４号公報
【特許文献４】特開２００２−３６９０９６号公報
【特許文献５】特開２００１−２８５７２８号公報
【発明の開示】
【発明が解決しようとする課題】
【０００５】
例えば、４８０ｉの映像フォーマットにのみしか対応していない映像表示装置において、コンポーネント映像端子やＤ映像端子を備える場合には、１０８０ｉ等の（４８０ｉの映像フォーマット以外の）信号がＤＶＤプレーヤなどの外部装置から入力される可能性がある。このような場合、装置側になんの対策も施されていないと、画面には映像が表示されない為、ユーザにとって非常に使い勝手の悪い（どこに問題があって画像が表示されないのかが分からない）ものとなってしまう。これに対して、特許文献５によって開示される技術を適用すれば、対応していないフォーマット形式である場合にはその旨がユーザに通知される為、上記問題を解決することができるが、映像信号のフォーマットを判定するための手段（Ｄ端子ケーブルに含まれている３本の識別信号ラインの出力電圧を監視するための回路など）を必要とするものとなってしまう。
【０００６】
４８０ｉの映像フォーマットにのみしか対応させていないような装置は、商品グレードとしては低いものであると言えるため、機能的な面よりもコスト的な面が重要視されるものである。従って、上記各特許文献で開示されているような映像信号のフォーマットを判定するための手段（このために形成される回路）を設けることは、コスト上の要請に沿うものではなく、又、回路スペースを余分に要することとなってしまうものであった。
【０００７】
本発明は、上述した点に鑑み、所定のフォーマットに準拠した映像信号を映像として表示可能な装置であって、且つ、当該所定のフォーマットに準拠した映像信号以外の信号が入力される可能性のある外部入力部を有する映像表示装置において、入力された映像信号が対応していないフォーマット形式である場合にはその旨をユーザに通知することができる映像表示装置を低コストにて提供することを目的とする。
【課題を解決するための手段】
【０００８】
請求項１の映像表示装置は、表示部と、各周波数の放送信号を受信するチューナ部と、前記チューナ部から入力される放送信号を所定のフォーマットに準拠した映像信号に変換する受信信号変換部と、外部装置からの信号を入力する外部入力部と、前記所定フォーマットに準拠した映像信号を前記表示部に表示させる処理を行う映像信号処理部であって前記受信信号変換部若しくは前記外部入力部から入力される映像信号が前記所定フォーマットに準拠した信号である場合に前記映像信号に含まれる同期信号を抽出することができる映像信号処理部と、制御部と、を備える映像表示装置であって、警告情報が格納された記憶部と、ＯＳＤ生成部と、を備えることにより、前記映像信号処理部によって抽出された前記同期信号が、前記所定フォーマットに準拠した同期信号では無いと前記制御部によって判断された場合には、前記警告情報に基づく警告を、前記ＯＳＤ生成部と前記映像信号処理部によって、前記表示部に表示させることを特徴とする。
【０００９】
上記構成によれば、映像信号処理部によって抽出された同期信号を基に、自己が表示可能なフォーマットの映像信号（所定フォーマットに準拠した映像信号）であるか否かが、制御部によって判別され、表示不可のフォーマットの映像信号であった場合には、記憶部に格納されている警告情報に基づいた警告が、表示部に表示される。なお、「所定のフォーマットに準拠した映像信号に変換する受信信号変換部」とは、特定の１つのフォーマット形式にのみ変換するということに限定するものではなく、複数のフォーマット形式に対応しているものであってよい。「所定フォーマットに準拠した信号」とは、所定の規格に則って生成された信号を指し、“規格と完全同一の信号”はもとより、“完全同一ではないが規格に則って生成された信号としてみなすことが可能な信号”をも含む概念である。
【００１０】
請求項２の映像表示装置は、請求項１記載の映像表示装置であって、前記外部入力部が、Ｄ映像端子若しくはコンポーネント映像端子であることを特徴とする。
【００１１】
請求項３の映像表示装置は、請求項１又は請求項２に記載の映像表示装置であって、前記所定フォーマットが、４８０ｉの映像フォーマットであり、前記映像信号処理部は、４８０ｉの映像フォーマットに準拠した映像信号を前記表示部に表示させる回路構成とされていることを特徴とする。
【００１２】
請求項４の映像表示装置は、請求項１乃至請求項３の何れか１つに記載の映像表示装置であって、前記警告情報が、「外部入力部に対する映像信号の入力が無い、或いは、外部入力部に本機で表示することができない映像信号が入力されています」という旨の警告と、「外部入力部に本機で表示することができない映像信号が入力されています」という旨の警告と、を有しており、前記映像信号処理部によって抽出される前記同期信号が無いと前記制御部によって判断された場合には、前者の警告情報に基づく警告を表示させ、前記映像信号処理部によって抽出される前記同期信号があるが、前記所定フォーマットに準拠した同期信号では無いと前記制御部によって判断された場合には、後者の警告情報に基づく警告を表示させることを特徴とする。
【００１３】
上記構成によれば、外部入力部から入力される映像信号から同期信号が検出された場合であって、所定フォーマットに準拠していない同期信号であると判断された場合には、「外部入力部に本機で表示することができない映像信号が入力されています」旨の警告が表示され、外部入力部から入力される映像信号から同期信号が検出できなかった場合には、「外部入力部に対する映像信号の入力が無い、或いは、外部入力部に本機で表示することができない映像信号が入力されています」旨の警告が表示される。
【００１４】
請求項５の映像表示装置は、請求項１乃至請求項４の何れか１つに記載の映像表示装置であって、ユーザインターフェースたる操作部を備え、当該操作部に警告消去キーを備えさせることにより、前記警告表示中に前記警告消去キーの入力があった場合には、前記警告の表示をしないことを特徴とする。
【００１５】
上記構成によれば、警告表示が行われている際に、操作部を操作（警告消去キーを入力）することにより当該警告を消すことができる。なお、「警告消去キー」は、それ専用のボタン等を設けることに限るものではなく、他の機能と兼用されるボタン等であってもよい。
【００１６】
請求項６の映像表示装置は、請求項１乃至請求項５の何れか１つに記載の映像表示装置であって、ユーザインターフェースたる操作部を備え、前記映像信号処理部によって抽出された前記同期信号が前記所定フォーマットに準拠するものであるか否かを判別するための基準パラメータを前記記憶部に格納しておき、前記操作部に対するユーザからの設定変更指示があった際には、当該指示に応じて前記基準パラメータを変更して前記記憶部に格納することを特徴とする。
【００１７】
上記構成によれば、外部入力部から入力された映像信号から抽出された同期信号が、所定フォーマットの同期信号に対してどの程度の誤差があった場合に「所定フォーマットに準拠していない」と判断するのかの条件をユーザによって設定することが可能となる。
【発明の効果】
【００１８】
本発明の請求項１の、表示部と、各周波数の放送信号を受信するチューナ部と、前記チューナ部から入力される放送信号を所定のフォーマットに準拠した映像信号に変換する受信信号変換部と、外部装置からの信号を入力する外部入力部と、前記所定フォーマットに準拠した映像信号を前記表示部に表示させる処理を行う映像信号処理部であって前記受信信号変換部若しくは前記外部入力部から入力される映像信号が前記所定フォーマットに準拠した信号である場合に前記映像信号に含まれる同期信号を抽出することができる映像信号処理部と、制御部と、を備える映像表示装置であって、警告情報が格納された記憶部と、ＯＳＤ生成部と、を備えることにより、前記映像信号処理部によって抽出された前記同期信号が、前記所定フォーマットに準拠した同期信号では無いと前記制御部によって判断された場合には、前記警告情報に基づく警告を、前記ＯＳＤ生成部と前記映像信号処理部によって、前記表示部に表示させることを特徴とする映像表示装置によれば、映像信号処理部によって抽出された同期信号を基に、自己が表示可能なフォーマットに準拠した映像信号であるか否かが判別され、表示不可のフォーマットの映像信号であった場合には、警告が表示部に表示される。映像信号処理部は自己が表示可能なフォーマットに準拠した映像信号から同期信号を抽出する機能を必ず有しており（同期信号を抽出できなければ映像を正常に表示できない）、本発明では当該機能を利用し、これによって得られた同期信号を基に自己が表示可能なフォーマットに準拠した映像信号であるか否かを制御部によって判別するようにしているため、当該「自己が表示可能なフォーマットに準拠した映像信号であるか否かの判定」を実行させる為の特別の回路構成などを必要としない。従って、入力された映像信号が対応していないフォーマット形式である場合にはその旨をユーザに通知することができるユーザフレンドリーな映像表示装置を低コストにて提供することが可能となり、又、装置の小型化にも寄与することができる（余分な回路を必要としない為）。
【００１９】
本発明の請求項４の、前記警告情報が、「外部入力部に対する映像信号の入力が無い、或いは、外部入力部に本機で表示することができない映像信号が入力されています」という旨の警告と、「外部入力部に本機で表示することができない映像信号が入力されています」という旨の警告と、を有しており、前記映像信号処理部によって抽出される前記同期信号が無いと前記制御部によって判断された場合には、前者の警告情報に基づく警告を表示させ、前記映像信号処理部によって抽出される前記同期信号があるが、前記所定フォーマットに準拠した同期信号では無いと前記制御部によって判断された場合には、後者の警告情報に基づく警告を表示させることを特徴とする請求項１乃至請求項３の何れか１つに記載の映像表示装置によれば、外部入力部から入力される映像信号から同期信号が検出された場合（即ち何らかの信号が入力されていると判断できる場合）であって、所定フォーマットに準拠していない同期信号であると判断された場合には、「外部入力部に本機で表示することができない映像信号が入力されています」旨の警告が表示され、外部入力部から入力される映像信号から同期信号が検出できなかった場合には、「外部入力部に対する映像信号の入力が無い、或いは、外部入力部に本機で表示することができない映像信号が入力されています」旨の警告が表示される。即ち、同期信号の検出状況に応じて警告表示の内容が変化する（問題の特定をより詳細に行う）ため、よりユーザフレンドリーな装置を提供することができる。
【００２０】
本発明の請求項６の、ユーザインターフェースたる操作部を備え、前記映像信号処理部によって抽出された前記同期信号が前記所定フォーマットに準拠するものであるか否かを判別するための基準パラメータを前記記憶部に格納しておき、前記操作部に対するユーザからの設定変更指示があった際には、当該指示に応じて前記基準パラメータを変更して前記記憶部に格納することを特徴とする請求項１乃至請求項５の何れか１つに記載の映像表示装置によれば、外部入力部から入力された映像信号から抽出された同期信号が、所定フォーマットの同期信号に対してどの程度の誤差があった場合に「所定フォーマットに準拠していない」と判断するのかの範囲をユーザによって設定することが可能となるため、よりユーザフレンドリーな装置を提供することができる。即ち、ユーザの使用環境（接続される外部機器）によっては、標準信号（所定フォーマット）に対する誤差が大きくなる場合もあり、実質的には表示可能な信号に対しても毎回警告がされてしまうようなこととなると、ユーザにとって煩雑であるが、上記構成によれば、「所定フォーマットに準拠していない」と判断する範囲をユーザによって設定することが可能であるため、ユーザの利便性が高まる。なお、基準パラメータの設定変更とは、「自己が表示可能なフォーマットに準拠した映像信号であるか否かを判定し、警告を表示する機能」をオフとさせる設定も含む概念である。
【発明を実施するための最良の形態】
【００２１】
以下、本発明の具体的実施例について、図面を参照しながら説明する。なお、以下の実施態様は、本発明を具体化する際の一形態であって、本発明をその範囲内に限定するためのものではない。
【実施例１】
【００２２】
図１は本実施例のブラウン管を使用した映像表示装置（以下単にＣＲＴ）の本発明に関する構成の概略を示したブロック図であり、図２は同ＣＲＴの本発明に関する動作の概略を示すフローチャートである。図３は同ＣＲＴの外観（外部装置であるＤＶＤプレーヤが接続された状態）を示す斜視図である。
【００２３】
本実施例のＣＲＴ１は、図１に示されるように、各周波数の放送信号を受信するチューナ部１１と、チューナ部１１から入力される信号から有効走査線数４８０ｉの映像信号を生成する処理などを行う受信信号変換部１２と、外部機器（例えば、ＤＶＤレコーダなどの記録再生装置）との接続のための端子であってＤ映像端子やコンポーネント映像端子等によって構成される外部入力部１３と、受信信号変換部１２若しくは外部入力部１３からの信号を切り替えて出力する入力切替部１４と、表示部１５と、入力切替部１４から入力される信号（有効走査線数４８０ｉの映像信号）から表示部１５へ映像を表示させるための映像信号を生成する処理など（同期信号の分離やＲＧＢ信号を生成する処理等）を行う映像信号処理部１６と、マイコン１７と、装置への入力インターフェースである操作部１８及び同じく入力インターフェースとなるリモコン装置２０からの信号を受信する受光部１９などを備える。
【００２４】
マイコン１７には、装置全体の制御や各種演算処理等を行う制御部１７１と、記憶手段である記憶部１７２と、計時手段であるタイマ部１７３と、オンスクリーン表示（以下単にＯＳＤ）信号を生成するＯＳＤ生成部１７４と、操作部１８又は受光部１９からの信号を判別して出力するキー判別部１７５などが備えられる。
【００２５】
チューナ部１１は、アナログチューナ及びデジタルチューナを備え、有効走査線数１０８０ｉ（ＨＤＴＶ）等の放送信号も受信可能であるが、表示部１５及び映像信号処理部１６は有効走査線数４８０ｉ（ＳＤＴＶ）にしか対応しておらず（有効走査線数１０８０ｉ等の放送信号は、受信信号変換部１２において全て有効走査線数４８０ｉの映像信号に変換される）、これによりＣＲＴ１は、ＨＤＴＶ等の放送信号も受信可能であるが、映像表示は４８０ｉの映像フォーマットによって行われるものである（“４８０ｉの映像フォーマットに準拠した映像信号によって映像の表示が行われる”ということであり、以下「準拠した」の省略や、単に「４８０ｉ」等と記載する場合があるが、特にことわらない場合には何れも同様のものである）。
【００２６】
より具体的には、アナログ放送を受信する場合には、アナログチューナによって受信されるアナログ放送信号を映像中間周波数信号（以下映像ＩＦ信号）に変換し、当該映像ＩＦ信号をチューナ部１１から入力された受信信号変換部１２において、映像ＩＦ信号から輝度信号と色信号を分離した映像信号を生成し、受信した信号が有効走査線数４８０ｉで無い場合には、有効走査線数４８０ｉの映像信号に変換する。デジタル放送を受信する場合には、デジタルチューナによって受信されるデジタル放送信号に対するデジタル復調処理やＭＰＥＧ規格に準じた複号化処理などを行い、さらに輝度信号と色信号を分離した映像信号を生成し、前記と同様に受信した信号が有効走査線数４８０ｉで無い場合には、有効走査線数４８０ｉの映像信号に変換する。
【００２７】
映像信号処理部１６は、有効走査線数４８０ｉの映像信号が入力された場合には、当該信号から同期信号（垂直同期信号及び水平同期信号）の抽出とＲＧＢ信号の生成を行い、映像を表示部１５に表示する処理を正常に行うことができるものであるが、Ｄ映像端子やコンポーネント映像端子等によって構成される外部入力部１３からは、有効走査線数４８０ｉの映像信号ではない信号が入力される可能性がある（コンポーネント映像端子は、１０８０ｉの信号を伝送できる性能を有し、又、Ｄ映像端子は、映像フォーマットに対応したＤ１端子〜Ｄ５端子の規格があるが、各端子の形状自体は同一であるためＤ１端子にしか対応していない装置に対してＤ５端子が接続される可能性がある）ため、入力切替部１４を介して有効走査線数４８０ｉの映像信号ではない信号が入力された場合には、映像を表示部１５に表示する処理を正常に行うことができない（当該信号から同期信号を抽出する処理も正常に行うことはできない（“全く同期信号を抽出できない”ということではなく、“正確な同期信号の抽出を保証するものではない”ということである））。
【００２８】
上記の構成を有するＣＲＴ１の、本発明に関する動作の概略を、図２を参照しつつ説明する。なお、記憶部１７２には、予め「映像信号の入力がありません。或いは、外部入力部に本機で表示することができない映像信号が入力されています。」という旨のデータ（警告情報）が格納されているものとする。
【００２９】
ステップ２０１では、映像ソースの選択が外部入力部１３となったか否かを判別する。映像ソースの選択は、ユーザによる操作部１８やリモコン装置２０の操作によって指示され、当該ユーザからの指示に従って入力切替部１４を制御部１７１によって切替えることによって行われる。外部入力部１３には外部装置（例えばＤＶＤプレーヤなど）２が接続されることにより、外部装置２からの映像信号が入力切替部１４を介して映像信号処理部１６に入力されることとなる。
【００３０】
制御部１７１によって、映像ソースの選択が外部入力部１３となったと判断された場合には、ステップ２０２へと移行して、水平同期信号の検出処理が行われる。当該処理は、映像信号処理部１６から入力される水平同期信号（外部装置２からの映像信号から抽出された同期信号）の周期を、マイコン１７において判別する処理であり、具体的には、入力された各水平同期信号の間隔をタイマ部１７３と制御部１７１によって計測することによって行う。
【００３１】
続くステップ２０３では、外部装置２から入力された映像信号が有効走査線数４８０ｉの映像信号であるか否かを判別する。当該判別は、ステップ２０２で得られた水平同期信号の周期が、４８０ｉの映像フォーマットの水平同期信号の周期（水平周波数が１５．７５ｋＨｚ程度であるので約６３μｓ）に該当するか否か（約６３μｓに対してどの程度の誤差範囲までを許容するかは適宜定められる）を判別することによって行う。なお、前述したごとく、映像信号処理部１６は、４８０ｉの映像フォーマット以外の信号からの同期信号の抽出をサポートするものではないので、マイコン１７における、水平同期信号の周期を検出することによる映像フォーマットの判別は、“４８０ｉの映像フォーマットに該当するか否か”の判別しか有効に行うことができない。
【００３２】
ステップ２０３の判別の結果、外部装置２から入力された映像信号が有効走査線数４８０ｉの映像信号であると判別された場合には、当該映像信号に基づいて映像を表示部１５に表示させる処理を行う（ステップ２０５）。一方、４８０ｉの映像信号でないと判別された場合には、記憶部１７２に格納されている「映像信号の入力がありません。或いは、外部入力部に本機で表示することができない映像信号が入力されています。」旨のデータを制御部１７１によって取得し、当該警告文のＯＳＤ信号をＯＳＤ生成部１７４によって生成し、図４に示されるような画面を映像信号処理部１６によって表示部１５に表示させる（ステップ２０４）。ステップ２０４若しくはステップ２０５の後はステップ２０１へと戻って上記処理を繰返す。当該処理により、入力切替が外部入力とされていて、且つ、４８０ｉの映像信号でないと判別される場合には、警告表示がされ続けることとなるが、警告表示から一定時間経過した場合には警告を消去する（表示しない）ような処理などとしてもよい。
【００３３】
以上のごとく、本実施例のＣＲＴ１によれば、基本的にマイコンのソフトウェアの書換えのみによって、「自己が表示可能なフォーマットの映像信号であるか否かを判定し、警告の表示」を実行させる機能を実現することが可能であり、上記機能のための特別の回路構成などの追加を必要としない。従って、入力された映像信号が対応していないフォーマット形式である場合にはその旨をユーザに通知することができるユーザフレンドリーな映像表示装置を低コストにて提供することが可能となる。特に、本実施例のような、“ＨＤＴＶの放送も受信可能であるが表示はＳＤＴＶのみとされているような装置”の場合、「ＨＤＴＶの放送を受信可能なのだから、ＨＤＴＶの信号を外部入力部から入力できるはず」とユーザが考えてしまい、映像の表示がされないと、「故障しているのでは」と考えるおそれがあるが、本発明を適用することで、装置自体の製造コストを上げることなくこのような問題の発生を抑止することができ、有用である。
【実施例２】
【００３４】
図５及び図７は、本実施例のＣＲＴの本発明に関する処理動作の概略を示すフローチャートである。なお、本実施例のＣＲＴの構成は実施例１と同様であるため、ここでの説明を省略し、必要があるときは図１を参照しつつ説明する。
【００３５】
本実施例のＣＲＴ１の記憶部１７２には、警告情報に関するものとして「映像信号の入力がありません。或いは、外部入力部に本機で表示することができない映像信号が入力されています。」という旨のデータと、「外部入力部に本機で表示することができない映像信号が入力されています。」という旨のデータとが格納されており、又、外部装置から入力される映像信号から抽出された同期信号が所定フォーマット（４８０ｉ）に該当するか否かを判別するための基準パラメータ（初期値として６３μｓ±１０％の範囲を示すデータ）が格納されているものとする。
【００３６】
図５は、「自己が表示可能なフォーマットの映像信号であるか否かを判定し、警告を表示させる機能」の、設定の変更をする処理の概略を示したフローチャートである。ステップ５０１では、操作部１８若しくはリモコン装置２０からの「設定変更要求」を待ち、これがあった場合には、図６（ａ）に示されるような設定変更画面を表示部１５に表示する（ステップ５０２）。ユーザは、当該画面表示を参照しつつ操作部１８若しくはリモコン装置２０を操作することで設定変更を行い、設定が終了した際にはＯＫボタン６１を選択する。当該ＯＫボタン６１の入力を検出した場合にはステップ５０４へと移行し（ステップ５０３）、設定内容（当該機能のオン・オフの設定、及び、オンである場合には基準値（６３μｓ）に対して許容する誤差範囲のデータ）を取得して、これを記憶部１７２に格納する（基準パラメータを更新する）。なお、本実施例では“基準パラメータ”の値を直接的に変更できるようなものとしているが、例えば、ステップ５０２において図６（ｂ）に示されるような設定画面を表示して、選択肢に予め割当てられた“基準パラメータ”を取得する（例えば“緩く”の場合には、６３μｓ±１５％とする等）ことにより、間接的に“基準パラメータ”の値の変更を行わせるようなものであってもよい。
【００３７】
以上の処理により「自己が表示可能なフォーマットの映像信号であるか否かを判定し、警告を表示させる機能」の設定が行われたＣＲＴ１の、当該機能の実行における処理動作の概略を、図７を参照しつつ説明する。なお、実施例１（図２）と同様の処理概念となるものについては同一の符号を使用し、ここでの説明を省略若しくは簡略化する。
【００３８】
ステップ２０１を介したステップ２０５では、外部入力部１３からの映像信号に基づいて映像を表示部１５に表示させる処理を行い（ＣＲＴ１は４８０ｉにしか対応していないので、入力される信号によっては、画面上には映像は表示されない）、続くステップ７０１では、警告表示機能の設定がオンであるか否かの判別を、制御部１７１によって記憶部１７２を参照することによって行う。当該判別の結果“オン”であった場合には、ステップ２０２における水平同期信号検出処理において同期信号が検出されたか否かを判別する（ステップ７０２）。
【００３９】
同期信号が検出された場合には、ステップ２０３において、４８０ｉの映像フォーマットの水平同期信号の周期に該当するか否かを、記憶部１７２に格納されている基準パラメータを使用して判別し（例えば、外部入力部１３から入力された映像信号の水平同期信号の周期が、６３μｓ±１０％の範囲に該当するか否かを判別する）、これに該当しないと判断された場合（即ち、何らかの信号の入力が外部入力１３に対して行われているが、当該信号が４８０ｉに該当しないと判断される場合）には、記憶部１７２に格納されている「外部入力部に本機で表示することができない映像信号が入力されています。」旨のデータを制御部１７１によって取得し、図８に示されるような画面を表示部１５に表示させる（ステップ７０４）。ステップ２０３における判別が肯定であった場合（即ち、入力信号が４８０ｉに該当すると判断された場合）には、ステップ２０１へと戻って処理を繰返す。
【００４０】
一方、ステップ７０２における判断が否定であった（同期信号が検出されなかった）場合（同期信号が検出されなかったということは、外部入力部１３に対する映像信号の入力が無いということを示しているとも考えられるが、映像信号処理部１６は、４８０ｉの信号からの同期信号の抽出しかサポートしていないため、必ずしもそうとは限らない。即ち、４８０ｉ以外の信号が入力されていることによって同期信号の抽出ができていないという場合があり得る。）には、「映像信号の入力がありません。或いは、外部入力部に本機で表示することができない映像信号が入力されています。」旨のデータを、記憶部１７２から制御部１７１によって取得し、図４に示されるような画面を表示部１５に表示させる（ステップ７０３）。
【００４１】
警告画面の表示をした（ステップ７０３若しくはステップ７０４）後のステップ７０５では、操作部１８又はリモコン装置２０に設けられる“警告消去キー”の入力の有無を判別し、これがあった場合には警告表示をやめる（ステップ７０６）。ステップ７０７の処理は、映像ソースの選択が外部入力部１３では無くなるのを待つことにより、“警告消去キー”の入力があった場合には、一旦映像ソースの選択の切換えがあるまでは、警告表示が行われないようにするためのものである（なお、“入力切換えを待つこと”に替えて“所定時間の経過を待つ”ものや、“信号の変化（例えば、同期信号の検出の有無の変化や周期の変化など）を待つ”ような処理等としてもよい）。
【００４２】
以上のごとく、本実施例によれば、同期信号の検出状況に応じて警告表示の内容が変化する（問題の特定をより詳細に行う）ため、よりユーザフレンドリーな装置を提供することができる。また、外部入力部から入力された映像信号から抽出された同期信号が、所定フォーマットの同期信号に対してどの程度の誤差があった場合に「所定フォーマットに該当しない」と判断するのかの範囲を、ユーザに設定させることが可能となるため、よりユーザの利便性が高まる。即ち、例えば、外部機器がＶＣＲであるような場合に、早送り再生や巻戻し再生などが行われると、同期信号が標準信号から外れる場合もあり、このような場合にいちいち警告が表示されてしまうようなこととなると、ユーザにとって煩雑であるが、上記構成によれば、「所定フォーマットに準拠していない」と判断する範囲をユーザによって設定することが可能であるため、ユーザの利便性に優れるのである。また、警告が表示されている際に、“警告消去キー”を入力することのみによって当該警告を消すことができるため、ユーザの利便性に優れる。
【００４３】
なお、実施例中では、“所定のフォーマットの映像信号”に該当するか否かの判別を、水平同期信号の周期を比較することによって行うものとしているが、周波数を比較するものでもよく、垂直同期信号を比較するもの若しくは水平同期信号と垂直同期信号の双方を比較するもの等であってもよい。
【００４４】
実施例中では、４８０ｉにのみ対応した映像表示装置（ＣＲＴ）を例として説明したが、例えば、４８０ｉと４８０ｐとには対応しているが７２０ｐや１０８０ｉには対応していない装置などに対しても、上記と同様の概念で有効に本発明を適用することができる（高解像度にのみ対応しているような装置に対しても適用可能である）。また、実施例中では、映像表示装置の例として、アナログ及びデジタル放送を受信可能なＣＲＴを用いているが、アナログ及びデジタルの双方の放送を受信できる（若しくはＨＤＴＶの放送を受信可能である）必要は無く（本発明の必須の構成要件ではない）、表示装置がＣＲＴである必要もない（液晶表示装置やプラズマディスプレイなどであってよい）。
【図面の簡単な説明】
【００４５】
【図１】ＣＲＴの本発明に関する構成の概略を示したブロック図
【図２】ＣＲＴの本発明に関する動作の概略を示すフローチャート
【図３】ＣＲＴの外観（外部装置であるＤＶＤプレーヤが接続された状態）を示す斜視図
【図４】表示画面（警告表示画面）の一例を示す図
【図５】実施例２の本発明に関する機能の設定の変更をする処理の概略を示したフローチャート
【図６】表示画面（設定変更画面）の一例を示す図
【図７】実施例２のＣＲＴの本発明に関する動作の概略を示すフローチャート
【図８】表示画面（警告表示画面）の一例を示す図
【符号の説明】
【００４６】
１      ＣＲＴ（映像表示装置）
１１    チューナ部
１２    受信信号変換部
１３    外部入力部
１５    表示部
１６    映像信号処理部
１７    マイコン
１８    操作部
２０    リモコン装置
１７１  制御部
１７２  記憶部
１７４  ＯＳＤ生成部
【図１】
2007221309.tif 000003
【図２】
2007221309.tif 000004
【図３】
2007221309.tif 000005
【図４】
2007221309.tif 000006
【図５】
2007221309.tif 000007
【図６】
2007221309.tif 000008
【図７】
2007221309.tif 000009
【図８】
2007221309.tif 000010